(57)【要約】【課題】アッテネータの切換え制御の判断基準を平均音量レベルにしていることにより、信号ソース作成側の意図と異なる音声出力となり、さらに、デジタル音声出力をＨＤＭＩ接続によって、デジタル信号のまま受信機に伝送した場合には、機器ごとに最大音量が異なるという課題がある。【解決手段】送信装置から送信された、時間軸圧縮された音声信号と制御信号とが映像信号のブランキング期間に多重化されシリアル変換された伝送信号から音声信号と制御信号を抽出し、マイコンにより制御信号から送信装置の種類を識別し、送信装置の種類に応じて、変換器により変換された音声信号の増幅度を調整する音声信号処理回路を備えたことを特徴とする受信装置。【選択図】図１
2006352599.tif 000002
【特許請求の範囲】
【請求項１】
送信装置から送信された、時間軸圧縮された音声信号と制御信号とが映像信号のブランキング期間に多重化されシリアル変換された伝送信号を受信する受信回路と、前記受信回路により受信した音声信号を抽出する音声抽出回路と、前記受信回路により受信した制御信号を抽出する制御信号抽出回路と、前記制御信号抽出回路により抽出された制御信号から送信装置の種類を識別するマイコンと、前記音声抽出回路により抽出された音声信号をデジタルアナログ変換する変換器と、マイコンにより識別された送信装置の種類に応じて、前記変換器により変換された音声信号の増幅度を調整する音声信号処理回路と、前記音声信号処理回路により増幅度を調整された音声信号を平均音量による調整を行なうことなくアンプを介して出力する出力回路とを備えたことを特徴とする受信装置。
【請求項２】
前記受信装置は、さらに、前記送信装置の種類ごとの最大音量値を記憶した記憶手段を備えており、前記音声信号処理回路は、前記記憶手段に記憶された送信装置の種類ごとの最大音量値に応じて音声信号の増幅度を調整することを特徴とする請求項１記載の受信装置。
【請求項３】
前記音声信号処理回路は、少なくとも一つ以上の抵抗器と、前記抵抗器の接続を制御するためのスイッチング回路とを備えており、前記マイコンにより抽出された送信装置の種類に応じて、前記スイッチング回路の接続を変更することにより、前記音声信号の増幅度を調整することを特徴とする請求項２記載の受信装置。
【請求項４】
前記マイコンによる送信装置の種類の識別は、送信装置から伝送された伝送信号のブランキング期間に配置されたソースデバイス情報に基づいて識別することを特徴とする請求項１から３いずれか記載の受信装置。
【請求項５】
ＨＤＭＩ端子を介して送信装置から送信された、時間軸圧縮された音声信号と制御信号とが映像信号のブランキング期間に多重化されシリアル変換された伝送信号を受信する受信回路と、前記受信回路により受信した伝送信号の暗号化を解除するデクリプト回路と、前記デクリプト回路により暗号化が解除された音声信号を抽出する音声抽出回路と、前記デクリプト回路により暗号化が解除された制御信号のパケットヘッダを抽出する制御信号抽出回路と、前記パケットヘッダに含まれるＰａｃｋｅｔＴｙｐｅのＳｏｕｒｃｅＰｒｏｄｕｃｔＤｅｓｃｒｉｐｔｏｒＩｎｆｏＦｒａｍｅに格納されたＳｏｕｒｃｅＤｅｖｉｃｅＩｎｆｏｒｍａｔｉｏｎにより記載された値に基づいて送信装置の種類を識別するマイコンと、前記音声抽出回路により抽出された音声信号をデジタルアナログ変換する変換器と、マイコンにより抽出された送信装置の種類に応じて、前記変換器により変換された音声信号の増幅度を調整する音声信号処理回路と、前記音声信号処理回路により増幅度を調整された音声信号を平均音量による調整を行なうことなくアンプを介して出力する出力回路とを備えたことを特徴とする受信装置。
【発明の詳細な説明】
【技術分野】
【０００１】
本発明は、ＨＤＭＩ受信装置、特にＴＶなどの音声信号をスピーカーで出力する装置の音声処理回路に適用して好適なものである。
【背景技術】
【０００２】
背景技術としては、特許文献１に記載されているように、オートゲインコントローラ、視聴補正フィルタ、平均音量測定回路、アッテネータと選択スイッチの構成により、スイッチを出力モードにあわせて同時に切替える制御を行うことでプログラムソース切替え時に平均音量を一定化できる音声処理装置を提供するものがあった。
【特許文献１】特開２００３−１６９２７０号公報
【発明の開示】
【発明が解決しようとする課題】
【０００３】
しかしながら、上記に示した発明においては、アッテネータの切換え制御の判断基準を平均音量レベルにしていることにより、平均音量を一定化しているのみで、信号ソース作成側の意図と異なる音声出力となり、正しく信号ソースを再現できなかった。例えば、全体的に音量を小さくした信号ソースにおいても、全体的に音量を大きく設定した信号ソースにおいても、出力される音量が平均的に一定化されている為、それらの信号ソースによる音量の違いが再現できないという課題が生じる。
【０００４】
さらに、デジタル放送受信機やＤＶＤなどのデジタル音声信号出力装置のデジタル音声出力をＨＤＭＩ接続によって、デジタル信号のまま受信機に伝送する仕組みが普及しているが、信号源の１００％音声フル出力のデジタル出力レベルが送信装置によって異なるという課題がある。具体的には、ＤＶＤ機器の場合は音声出力が最大の場合のデジタル出力レベルは０ｄＢＦ、ＮＴＳＣ信号の場合は−１７ｄＢＦ、デジタル放送受信機の場合は−１８ｄＢＦ又は放送局によっては−２０ｄＢＦなどである。これらの音声出力が最大の場合における音量の出力レベルの差は、運用基準によりほぼ数パターンに分類される為、平均音量の測定などが不要であり、上記の発明によれば、回路規模が大きくなるという課題が生じる。
【課題を解決するための手段】
【０００５】
この課題を解決するために本発明は、ＨＤＭＩ端子を有するＨＤＭＩ受信機の音声処理回路において、ＨＤＭＩ送信機器側でＨＤＭＩ電送信号に重畳できる送信する信号の特徴や接続機器の情報が含まれたパケット情報を受け取り、そのパケット情報により接続されている機器がＤＶＤなのか、デジタル放送受信機なのか、音声１００％変調の変調度が何ｄＢＦなのかを受信機に準備されたＭＰＵで判断し、接続された音声デジタル信号の変調度の違いを補正する為、接続機器による音量の違い分だけ、音量の減衰量を制御することにより、視聴者に対して接続機器の違いを感じさせない音声を提供し、且つ、平均音量による補正を行っていないため、信号ソース作成側の意図を忠実に再現した音声を提供することができるものである。
【発明の効果】
【０００６】
以上のように本発明によれば、ＨＤＭＩ端子を有するＨＤＭＩ受信機の音声処理回路において、ＨＤＭＩ送信機器側でＨＤＭＩ伝送信号に重畳できる送信する信号の特徴や接続機器の情報が含まれたパケット情報を受け取り、そのパケット情報により接続されている機器がＤＶＤなのか、デジタル放送受信機なのか、音声１００％変調の変調度が何ｄＢＦなのかを受信機に準備されたＭＰＵで判断し、接続された音声デジタル信号の変調度の違いを補正する為、接続機器による音量の違い分だけ、音量の減衰量を制御することにより、視聴者に対して接続機器の違いを感じさせない音声を提供し、且つ、平均音量による補正を行っていないため、信号ソース作成側の意図を忠実に再現した音声を提供することができる。
【発明を実施するための最良の形態】
【０００７】
以下に本発明の実施の形態について、図面を参照しながら説明する。なお、ここで示す実施の形態はあくまでも一実施例であって、本発明は、必ずしもこの実施の形態に限定されるものではない。
【０００８】
また、本実施の形態において、ＨＤＭＩ規格の説明に用いた図は、Ｈｉｇｈ  Ｄｅｆｉｎｉｔｉｏｎ  Ｍｕｌｔｉｍｅｄｉａ  Ｉｎｔｅｒｆａｃｅ「Ｓｐｅｃｉｆｉｃａｔｉｏｎ  Ｖｅｒｓｉｏｎ  ０．９」「Ｓｐｅｃｉｆｉｃａｔｉｏｎ  Ｖｅｒｓｉｏｎ  １．０」「Ｓｐｅｃｉｆｉｃａｔｉｏｎ  Ｖｅｒｓｉｏｎ  １．１」から引用した。
【０００９】
（実施の形態１）
以下に、本発明を実現するための構成について図１から図１４を参照して説明する。図１は、ＨＤＭＩ規格により構成されたＨＤＭＩ  Ｓｏｕｒｃｅ１００とＨＤＭＩ  Ｓｉｎｋ２００の構成を示すブロック図である。ここで、ＨＤＭＩ  Ｓｏｕｒｃｅ１００とＨＤＭＩ  Ｓｉｎｋ２００とは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）のＣｈａｎｎｅｌ１から４、ＴＭＤＳ  Ｃｌｏｃｋ  Ｃｈａｎｎｅｌ及びＤＤＣ（Ｄｉｓｐｌａｙ  Ｄａｔａ  Ｃｈａｎｎｅｌ）により接続されている。ＨＤＭＩケーブル及びコネクター３００は、４つの差動信号線（３０２から３０８）により接続されており、３つの差動信号線（３０２から３０６）によりＴＭＤＳデータを伝送し、１つの差動信号線３０８によりクロック情報を伝送する。これらの差動信号線（３０２から３０８）により、映像、音声及び制御信号（補助データ）が伝送される。ここで、映像データは、ＲＧＢ又はＹＣｂＣｒ４：４：４又はＹＣｂＣｒ４：４：２のフォーマットの何れにでもコード化することが可能である。
【００１０】
また、クロック情報を伝送する差動信号線３０８においては、映像信号クロックが伝送され、その映像信号クロックが上述した３つの差動信号線（３０２から３０６）により伝送されるＴＭＤＳデータにおいて使用される。さらに、ＨＤＭＩ  Ｓｏｕｒｃｅ１００とＨＤＭＩ  Ｓｉｎｋ２００とは、ＤＤＣ３１０により接続されており、このＤＤＣ３１０により、ＨＤＭＩ  Ｓｏｕｒｃｅ１００とＨＤＭＩ  Ｓｉｎｋ２００との間でそれぞれの構成やそれぞれの状態等の情報が交換される。また、ＣＥＣ  Ｌｉｎｅ３１２では、ユーザー環境において複数種類の映像音声機器間において、高度な制御機能を実現することが可能になるものである。
【００１１】
以下、図２を参照しながら、図１に示すＨＤＭＩ規格により構成されたＨＤＭＩ  Ｓｏｕｒｃｅ１００とＨＤＭＩ  Ｓｉｎｋ２００の構成を詳細に説明する。
【００１２】
図２において、ＨＤＭＩ  Ｓｏｕｒｃｅ１００としてＨＤＭＩ対応のＳＴＢ（Ｓｅｔ  Ｔｏｐ  Ｂｏｘ）を、ＨＤＭＩ  Ｓｉｎｋ２００としてＨＤＭＩ対応のＴＶを用いて説明する。まず、最初にＨＤＭＩ対応のＳＴＢ１００について説明する。ＨＤＭＩ対応のＳＴＢ１００においては、端子１０２から入力されたＲＧＢ映像信号１０３と、端子１０４から入力された音声信号１０５と、端子１０６から入力された制御信号１０７とは、多重化回路１０８において、映像信号の無い映像ブランキング期間に時間軸圧縮した音声信号１０５と制御信号１０７を多重した映像音声多重信号１０９となり、次に、ＨＤＣＰエンクリプト回路１１０において暗号化されてコピーガードがかけられる。暗号化に際して、ＨＤＣＰエンクリプト回路１１０は、ＨＤＣＰＫＥＹ１１２から必要に応じて鍵信号を受け取り暗号化を行う。次に、暗号化された信号は、ＴＭＤＳ送信回路１１４に入力され、１０ビットに変換された後、ＴＭＤＳエンコードされた後に差動シリアル化されて、ＨＤＭＩ接続端子１１６を介して伝送される。差動信号線３０２はＣｈ０でＢ（Ｂｌｕｅ）信号を、差動信号線３０４はＣｈ１でＧ（Ｇｒｅｅｎ）信号を、差動信号線３０６はＣｈ２でＲ（Ｒｅｄ）信号を、差動信号線３０８はＣｌｏｃｋ（クロック）をそれぞれ伝送する。
【００１３】
ここで、ＨＤＣＰの鍵情報やＥＤＩＤ情報は、ＨＤＭＩ接続端子１１６及び２０２を介して、ＤＤＣ（Ｄｉｓｐｌａｙ  Ｄａｔａ  Ｃｈａｎｎｅｌ）ライン３１０なるＩ２Ｃバスで送受信される。ＥＤＩＤ２０４は、ディスプレイが許容する信号フォーマットなどのＥＤＩＤ情報を格納したＲＯＭ等の蓄積デバイスであり、ＥＤＩＤ情報は必要に応じてＨＤＭＩ対応のＳＴＢ１００のマイコン１１８によって読み出される。より具体的には、マイコン１１８が、ＨＤＭＩ対応のＳＴＢ１００がＨＤＭＩ対応のＴＶ２００に接続された事を検出して、ＥＤＩＤ２０４に格納されたＥＤＩＤ情報を読み出す。
【００１４】
次に、ＨＤＭＩ対応のＴＶ２００について詳細に説明する。ＨＤＭＩ対応のＴＶ２００に入力された３系統（ＲＧＢ）の信号と１系統のクロック信号はＴＭＤＳ受信回路２０６に入力され、パラレル化及びＴＭＤＳデコード及び１０／８ビット変換された後、８ビットのＲＧＢ映像信号に復元される。復元された８ビットのＲＧＢ映像信号は、ＨＤＣＰデクリプト回路２０８で暗号が解かれて、映像信号抽出回路２１０、音声信号抽出回路２１２、制御信号抽出回路２１４にそれぞれ入力される。ＨＤＣＰデクリプトは、ＨＤＭＩ対応のＳＴＢ１００からの鍵情報に応答して、ＨＤＣＰＫＥＹ２１６から鍵情報をＨＤＭＩ対応のＳＴＢ１００に送信して、ＨＤＭＩ対応のＳＴＢ１００がベリファイした後に、暗号が解除される。制御信号抽出回路２１４は、映像ブランキング期間に重畳される制御信号１０７を抽出して、制御信号１０７はマイコン２１８に入力される。また、映像信号抽出回路２１０は、ＲＧＢ映像信号をＴＶ表示部２２０に伝送する。なお、ここで、図示はしていないが、ＯＳＤ付加回路等を設けることにより、マイコンによって制御することにより、ＲＧＢ映像信号にＯＳＤ信号を付加することも可能になる。次に、音声信号抽出回路２１２は、映像ブランキング期間に重畳される音声信号を抽出し、音声信号はＤ／Ａ２２２でＤ／Ａ変換された後にＴＶ音声表示部２２４に出力される。
【００１５】
ここで、ＨＤＭＩ規格における信号の構成について説明する。図３は、全画面は横８５８画素で縦５２５ラインで、その中の有効画面は横７２０画素で縦４８０ラインであるＳＤ画面を例にしている。  ＴＭＤＳ  Ｐｅｒｉｏｄ（ＴＭＤＳ期間）は、Ｃｏｎｔｒｏｌ  Ｐｅｒｉｏｄ（コントロール期間）、Ｄａｔａ  ｉｓｌａｎｄ  Ｐｅｒｉｏｄ（データアイランド期間）、Ｖｉｄｅｏ  Ｄａｔａ  Ｐｅｒｉｏｄ（ビデオ期間）から構成される。このデータアイランド期間でＰａｃｋｅｔ  ｄａｔａ（パケットデータ）が伝送される。パケットデータは、Ａｕｄｉｏ  ｓａｍｐｌｅ（音声信号）やＩｎｆｏ  ｆｒａｍｅ（信号に付帯した情報）などから構成される。このように、音声信号は、映像ブランキング期間に存在するデータアイランド期間を利用して伝送される。
【００１６】
次に、ここで、図４にデータアイランドの構成について説明する。データアイランドで伝送されるパケットの識別（パケットタイプ）は、パケットヘッダ（図４におけるＰａｃｋｅｔ  Ｈｅａｄｅｒ１及びＰａｃｋｅｔ  Ｈｅａｄｅｒ２）により行うことができ、ＴＭＤＳ信号のｃｈ０のｂｉｔ２で伝送される。
【００１７】
ここで、図５を参照して、より詳細なデータアイランドパケットの構成を説明する。ｃｈ０のＤ２で伝送される３２ビットのデータ（ＢＣＨ  ｂｌｏｃｋ４）は、図５に示すように、８ビットごとにＢｙｔｅ０（ＨＢ０）、Ｂｙｔｅ１（ＨＢ１）、Ｂｙｔｅ２（ＨＢ２）、パリティからなり、ＨＢ０からＨＢ２までをパケットヘッダと呼ぶ。図６に示すように、ＨＢ０は、パケットタイプを示しており、ＨＢ１及びＨＢ２は、ｐａｃｋｅｔ−ｓｐｅｃｉｆｉｃ  ｄａｔａを示している。一方、ｃｈ１とｃｈ２の各ビットは図に示すように、８ビット（１バイト）ごとに順番に並べ替えられて、パケットボディー（ＰＢ）を構成する。具体的には、ｃｈ１のＤ０とｃｈ２のＤ０及びパリティビット８ビットを付加することにより、ＢＣＨｂｌｏｃｋ０を構成する。同様に、ｃｈ１のＤ１とｃｈ２のＤ１及びパリティビットによりＢＣＨｂｌｏｃｋ１を、ｃｈ１のＤ２とｃｈ２のＤ２及びパリティビットによりＢＣＨｂｌｏｃｋ２を、ｃｈ１のＤ３とｃｈ２のＤ３及びパリティビットによりＢＣＨｂｌｏｃｋ３を構成する。ここで、ＢＣＨｂｌｏｃｋ１は、Ｂｙｔｅ０からＢｙｔｅ６からなるＳｕｂｐａｃｋｅｔ０及びパリティビットにより構成されており、ＢＣＨｂｌｏｃｋ１から３におけるＢｙｔｅ０からＢｙｔｅ６によって、ＰａｃｋｅｔＢｏｄｙが構成されている。以上のように、データアイランドは、ＨＢ０からＨＢ２からなるパケットヘッダとＢＣＨｂｌｏｃｋ１からｂｌｏｃｋ４により構成されるパケットボディ及びパリティビットにより構成されている。
【００１８】
次に、上述したパケットヘッダ及びパケットタイプについて図を参照しながら説明する。図６は、データアイランドパケットのパケットヘッダの構成を示したものである。ここで、パケットヘッダは２４ビットのデータと８ビットのＢＣＨ  ＥＣＣ（Ｅｒｒｏｒ  Ｃｏｒｒｅｃｔｉｏｎ  Ｃｏｄｅ）  ｐａｒｉｔｙにより構成されており、その内８ビットはＨＢ０において後述するパケットタイプを示しており、残りの１６ビットはＰａｃｋｅｔ−ｓｐｅｃｉｆｉｃ  ｄａｔａを示すために使用されている。ここで、ＨＢ０におけるパケットタイプについて詳細に説明する。図７に示すように、Ｐａｃｋｅｔ  Ｔｙｐｅ  Ｖａｌｕｅの０ｘ８０には、ＥＩＡ／ＣＥＡ−８６１Ｂ  ＩｎｆｏＦｒａｍｅのパケットが格納されている。ここで、ＩｎｆｏＦｒａｍｅ  Ｔｙｐｅが０ｘ８２の領域にはＡＶＩ（Ａｕｘｉｌｉａｒｙ  Ｖｉｄｅｏ  Ｉｎｆｏｒｍａｔｉｏｎ）が格納されており、図８に示すように、各ＤａｔａＢｙｔｅごとに伝送する情報が決められている。例えば、ＤａｔａＢｙｔｅ１では、オーバースキャン（テレビ用）・アンダースキャン（コンピュータ用）の情報、ＤａｔａＢｙｔｅ２では、アスペクトレシオの情報、ＤａｔａＢｙｔｅ４では、ビデオフォーマットの情報（４８０ｐから１０８０ｐまでの３４種類がコード上で定義されている。図９参照。）などが伝送されている。また、ＩｎｆｏＦｒａｍｅ  Ｔｙｐｅが０ｘ８３の領域には、Ｓｏｕｒｃｅ  Ｐｒｏｄｕｃｔ  Ｄｅｓｃｒｉｐｔｏｒ  ＩｎｆｏＦｒａｍｅが格納されており、図１０に示すように、各ＤａｔａＢｙｔｅごとに伝送する情報が決められている。例えば、ＤａｔａＢｙｔｅ１から８まではＶｅｎｄｏｒ．ｎａｍｅ．Ｃｈａｒａｃｔｅｒ（ベンダーネーム）の情報が８文字までで格納されている。ＯＳＤ表示に際し、８文字以上の会社名の時は、会社名を補完して表示できるように、ＯＳＤ付加回路（図示せず）に、８文字をアドレスとして完全な会社名を出力する記憶手段を有する構成としてもよい。また、ＤａｔａＢｙｔｅ９から２４まではＰｒｏｄｕｃｔ．Ｄｅｓｃｒｉｐｔ．Ｃｈａｒａｃｔｅｒ（モデルナンバー）の情報が格納されている。さらに、ＤａｔａＢｙｔｅ２５には、Ｓｏｕｒｃｅ．Ｄｅｖｉｃｅ．Ｉｎｆｏｒｍａｔｉｏｎ（ソース機器の種類）の情報が格納されており、図１１に示すように、Ｓｏｕｒｃｅ  Ｄｅｖｉｃｅ  Ｉｎｆｏｒｍａｔｉｏｎにおいて、ＳＴＢ（コードが１６進数で１の時）やＤＶＤ（コードが１６進数で２の時）などが判別できるようになっている。
【００１９】
ここで、本発明においては、このＳｏｕｒｃｅ．Ｄｅｖｉｃｅ．Ｉｎｆｏｒｍａｔｉｏｎの情報により、Ｓｏｕｒｃｅとして接続されている機器をＳｉｎｋ側で識別することが可能になるため、後述するように、接続機器による最大音量の違いに基づいて、減衰量（増幅度）を設定することが可能になるものである。
【００２０】
これにより、本発明においては、ＨＤＭＩ端子を有するＨＤＭＩ受信機の音声処理回路２２６において、ＨＤＭＩ送信機器側でＨＤＭＩ伝送信号に重畳できる送信する信号の特徴や接続機器の情報が含まれたパケット情報を受け取り、そのパケット情報により接続されている機器がＤＶＤなのか、デジタル放送受信機かを識別することにより、音声１００％変調の変調度が何ｄＢＦなのかを受信機に準備されたＭＰＵで判断し、接続された音声デジタル信号の変調度の違いを補正する為、接続機器による音量の違い分だけ、音量の減衰量（増幅度）を制御することにより、視聴者に対して接続機器の違いを感じさせない音声を提供し、且つ、平均音量による補正を行っていないため、信号ソース作成側の意図を忠実に再現した音声を提供することができるものである。
【００２１】
以下、上記の図１から図１１及び図１２から図１４を参照しながら、本願発明について詳細に説明する。図１２は、図２に示したＨＤＭＩ対応ＴＶのうち、音声信号を出力するための回路をより詳細に説明するブロック図である。図１２に示すように、本発明におけるＨＤＭＩ対応ＴＶ２００においては、ＴＭＤＳ送信装置１１４により送信されたデータを取得するＴＭＤＳ受信装置２０６と、ＴＭＤＳ受信装置２０６により受信したデータの暗号を解除するＨＤＣＰデクリプト回路２０８と、ＨＤＣＰデクリプト回路２０８により暗号が解除された音声信号を抽出する音声信号抽出回路２１２と、ＨＤＣＰデクリプト回路２０８により暗号が解除された制御信号１０７を取得する制御信号抽出回路２１４と、制御信号抽出回路２１４により抽出した制御信号１０７に基づいて制御を行なうマイコン２１８と、音声信号抽出回路２１２により抽出されたデジタル信号である音声信号をアナログ信号である音声信号に変換するＤ／Ａ変換機２２２と、制御信号抽出回路２１４により抽出した制御信号１０７に基づいて、音声信号の調整を行なう音声処理回路２２６と、音声処理回路２２６により処理された音声信号１０５を増幅するアンプ２２８と、アンプ２２８により増幅された音声信号を外部出力するスピーカ２２４により構成されている。さらに、図１３は、上述した音声処理回路を詳細に説明した図である。音声処理回路２２６は、上述したＤ／Ａ変換機２２２により変換されたアナログ信号である音声信号を受信する音声信号受信手段２３０と、複数の抵抗器（２３２から２３８）と、上述したマイコン２１８により制御され、抵抗器２３８の値を調整するためのスイッチング回路２４０と、スイッチング回路２４０を介して音量を調整された音声信号を上述したアンプ２２８に出力するための出力回路２４２により構成されている。この音声処理回路２２６の増幅回路のゲインは、スイッチ回路２４０を制御することにより、抵抗器２３６に対して抵抗器２３８を並列に接続したり、開放したりして切り替えることができるものである。以上の構成に基づいて、図１４を参照しながらＨＤＭＩ対応ＴＶ２００の具体的な処理について説明する。
【００２２】
図１４に示すように、本発明のＨＤＭＩ対応ＴＶ２００においては、まずステップ１００において、ＴＭＤＳ送信回路１１４により送信された図３に示したＴＭＤＳ  Ｐｅｒｉｏｄ（ＴＭＤＳ期間）中のＤａｔａ  ｉｓｌａｎｄ  Ｐｅｒｉｏｄ（データアイランド期間）のＰａｃｋｅｔ  ｄａｔａ（パケットデータ）において伝送された、Ａｕｄｉｏ  ｓａｍｐｌｅ（音声信号）やＩｎｆｏ  ｆｒａｍｅ（信号に付帯した情報）を受信する。次に、ステップ１０２において、ＴＭＤＳ受信装置２０６により受信したパケットデータをＨＤＣＰデクリプト回路２０８において暗号を解除する。次に、ステップ１０４において、パケットデータ中における音声信号を音声信号抽出回路２１２により、また、パケットデータ中における図５に示すパケットヘッダの情報を制御情報抽出回路２１４により抽出する。次に、ステップ１０６において、音声信号抽出回路２１２により抽出した音声信号のＤ／Ａ変換を行い、アナログの音声信号を生成する。次に、ステップ１０８において、制御情報抽出回路２１４により抽出したパケットヘッダから、マイコン２１８を用いて図６に示すＨＢ０のパケットタイプを識別する。次に、ステップ１１０において、ステップ１０８において識別したパケットタイプのうちのＰａｃｋｅｔ  Ｔｙｐｅ  Ｖａｌｕｅの０ｘ８０＋ＩｎｆｏＦｒａｍｅ  ＴｙｐｅのＥＩＡ／ＣＥＡ−８６１Ｂ  ＩｎｆｏＦｒａｍｅから０ｘ８５までのデータを抽出する。次に、ステップ１１２において、ステップ１１０において抽出した０ｘ８３に記載されたＳｏｕｒｃｅ  Ｐｒｏｄｕｃｔ  Ｄｅｓｃｒｉｐｔｏｒ  ＩｎｆｏＦｒａｍｅのデータを抽出する。なお、このＳｏｕｒｃｅ  Ｐｒｏｄｕｃｔ  Ｄｅｓｃｒｉｐｔｏｒ  ＩｎｆｏＦｒａｍｅのデータには、上述したように、図１０に記載された内容が含まれている。次に、ステップ１１４においては、ステップ１１２において抽出したＳｏｕｒｃｅ  Ｐｒｏｄｕｃｔ  Ｄｅｓｃｒｉｐｔｏｒ  ＩｎｆｏＦｒａｍｅのＤａｔａ  Ｂｙｔｅ２５のデータを抽出する。なお、このＤａｔａ  Ｂｙｔｅ２５には、図１１に示すように、Ｓｏｕｒｃｅ  Ｄｅｖｉｃｅ  Ｉｎｆｏｒｍａｔｉｏｎとして、ソース側がどのような機器であるかを示している。次に、マイコンによってステップ１１２で取得したソース側の機器の情報に基づいて上述した音声処理回路を制御する処理について説明する。一般的に、送信機器がＤＶＤの場合（Ｃｏｄｅ＝０２ｈ）、デジタル音声信号の音声１００％変調の変調度は、変調度０ｄＢＦであり、一般的なデジタル放送受信機の音声１００％変調の変調度−１７ｄＢＦに対して音量が大きい。従って、Ｄ／Ａコンバータ１２から出力されるアナログ音声信号の音量は、デジタル放送受信機に対してＤＶＤの方が大きい。従って、例えば、音量が大きなＤＶＤが接続されていることをマイコンが認識した場合は、ステップ１１６において、マイコンの制御により、図１４のスイッチ回路２４０を閉じて増幅回路の増幅度を下げ、音量が大きくなりすぎないように切り替える。一方、デジタル放送受信機が接続されていることをマイコンが認識した場合は（Ｃｏｄｅ＝０１ｈ）、ステップ１１８において、マイコンの制御により、スイッチ回路２４０を開放して増幅回��の増幅度を上げ、音量が小さくなりすぎないように切り替える。
【００２３】
以下にステップ１１４からステップ１１８の処理について、図１３を参照しながら、詳細に説明する。図１３におけるマイコン２１８から上述したように、ＨＤＭＩＳｏｕｒｃｅの機器が何であるかを識別して、その機器ごとに応じて、スイッチ回路２４０の開閉を制御する。上述したように、最大音量が大きい機器の場合には、スイッチ回路２４０を閉じることにより、抵抗器２３８が接続されることから増幅回路での増幅度を抑えることが可能になり、この結果音量が大きくなりすぎることを防止することが可能になる。一方、最大音量が小さい機器の場合には、スイッチ回路２４０を開くことにより抵抗器２３８が接続されないため、増幅回路での増幅度を上げることが可能になり、この結果音量が小さくなりすぎることを防止することが可能になる。このようにスイッチング回路２４０の開閉により増幅回路の増幅度を調整した音声信号を平均音量による補正を行なうことなく出力回路２４２によりプリアンプ及び出力アンプ２２８を経由してスピーカーに出力される。
【００２４】
このような処理を音声処理回路２２６が行うことにより、ＤＶＤ接続時とデジタル放送受信機の接続時の機器固有の音量差を補正することが可能になるものである。これにより、送信機器側において受信機器の種別を認識して、音声処理回路を構成する増幅回路の増幅度を切替えることにより、聴視者に対して、ＨＤＭＩに接続している機器が変化しても、接続機器による音量の差が発生させることがなく、接続機器の違いによる音量差によるユーザーの不快感を解消することが可能になり、且つ、平均音量による補正を行っていないため、信号ソース作成側の意図を忠実に再現した音声を提供することができるものである。
【００２５】
なお、本実施の形態においては、デジタル信号の場合について説明したが、デジタル信号とアナログ信号とにより、最大音量が異なるため、デジタル信号とアナログ信号の場合であっても、上述した処理を行なうことにより、機器ごとに応じた適切な音量の増幅度を調整することが可能になり、視聴者に対して接続機器の違いを感じさせない音声を提供し、且つ、平均音量による補正を行なっていないため、信号ソース作成側の意図を忠実に再現した音声を提供することが可能になり、且つ、平均音量による補正を行っていないため、信号ソース作成側の意図を忠実に再現した音声を提供することができるものである。
【産業上の利用可能性】
【００２６】
本発明にかかるＨＤＭＩ接続における音量補正回路システムは、ＨＤＭＩ受信装置、特にＴＶなどの音声信号をスピーカーで出力する装置の音声処理回路等において有用である。
【図面の簡単な説明】
【００２７】
【図１】本発明の構成の概略を示すブロック図
【図２】本発明の構成を示すブロック図
【図３】本発明のＨＤＭＩ規格における信号の構成を示す図
【図４】本発明のデータアイランドの構成を示す図
【図５】本発明のデータアイランドパケットの構成を示す図
【図６】本発明のデータアイランドのパケットヘッダの構成を示す図
【図７】本発明のＰａｃｋｅｔＴｙｐｅＶａｌｕｅの構成を示す図
【図８】本発明のＡＶＩに格納されたデータの構成を示す図
【図９】本発明のビデオフォーマットの種類を示す図
【図１０】本発明のＳｏｕｒｃｅＰｒｏｄｕｃｔＤｅｓｃｒｉｐｔｉｏｎＩｎｆｏＦｒａｍｅの構成を示す図
【図１１】本発明のＳｏｕｒｃｅＤｅｖｉｃｅＩｎｆｏｒｍａｔｉｏｎの構成を示す図
【図１２】本発明のＨＤＭＩＳｉｎｋの構成を示すブロック図
【図１３】本発明の音声処理回路の構成を示すブロック図
【図１４】本発明のＨＤＭＩＳｉｎｋでの処理を示すフローチャート
【符号の説明】
【００２８】
１００    ＨＤＭＩ対応ＳＴＢ
１０２    映像信号入力用端子
１０３    映像信号
１０４    音声信号入力端子
１０５    音声信号
１０６    制御信号入力端子
１０７    制御信号
１０８    多重回路
１０９    多重信号
１１０    ＨＤＣＰエンクリプト回路
１１２    ＨＤＣＰＫＥＹ
１１４    ＴＭＤＳ送信回路
１１６    ＨＤＭＩ接続端子
１１８    マイコン
２００    ＨＤＭＩ対応ＴＶ
２０２    ＨＤＭＩ接続端子
２０４    ＥＤＩＤ
２０６    ＴＭＤＳ受信回路
２０８    ＨＤＣＰデクリプト回路
２１０    映像信号抽出回路
２１２    音声信号抽出回路
２１４    制御信号抽出回路
２１６    ＨＤＣＰＫＥＹ
２１８    マイコン
２２０    ＴＶ表示部
２２２    Ｄ／Ａ変換器
２２４    スピーカー
２２６    音声信号処理回路
２２８    アンプ
２３０    音声信号受信手段
２３２    抵抗器
２３４    抵抗器
２３６    抵抗器
２３８    抵抗器
２４０    スイッチング回路
２４２    出力回路
３００    ＨＤＭＩ接続配線
３０２    差動信号線のＣｈ０
３０４    差動信号線のＣｈ１
３０６    差動信号線のＣｈ２
３０８    差動信号線のＣｌｏｃｋＣｈａｎｎｅｌ
３１０    ＤＤＣライン
３１２    ＣＥＣライン
【図１】
2006352599.tif 000003
【図２】
2006352599.tif 000004
【図３】
2006352599.tif 000005
【図４】
2006352599.tif 000006
【図５】
2006352599.tif 000007
【図６】
2006352599.tif 000008
【図７】
2006352599.tif 000009
【図８】
2006352599.tif 000010
【図９】
2006352599.tif 000011
【図１０】
2006352599.tif 000012
【図１１】
2006352599.tif 000013
【図１２】
2006352599.tif 000014
【図１３】
2006352599.tif 000015
【図１４】
2006352599.tif 000016